(57)【要約】【課題】  平判紙を積層させた紙山の側面に付着した紙粉を、未除去範囲を最小にして除去することにより、紙粉除去処理時間の短縮を図ることができ、抄紙工程に応じた生産性の向上に寄与することできる紙粉除去装置を提供する。【解決手段】  搬送装置２で搬送された紙山Ｌの側面のそれぞれに対応させて、該紙山Ｌの高さよりも短い軸方向長さの円柱状ブラシ71を備えた掃き取り装置40を設ける。掃き取り装置40を、円柱状ブラシ71が側面のそれぞれに接触する位置と紙山Ｌの搬送域から退避した位置とで移動自在とするとともに、円柱状ブラシ71を上下方向と水平方向とに移動可能とする。円柱状ブラシ71を紙山１の側面に接触させ、回動させながら上下方向と水平方向を交互に移動させれば、側面の全域に対して紙粉除去処理を行える。【選択図】        図１
2006007090.tif 000002
【特許請求の範囲】
【請求項１】
平判紙が積層されて形成された紙山の側面に付着した紙粉を除去する紙粉除去装置において、
前記紙山の側面に連繋させて掃き取り手段を設け、
紙山を上方から押圧する紙山押さえ手段を設け、
前記掃き取り手段の掃き取り範囲の高さを、紙山の高さよりも小さくし、
前記掃き取り手段を紙山の前記側面と平行な面内で直交方向へ移動可能とすると共に、紙山の側面に対して進退可能とし、
前記掃き取り手段を前進させて紙山側面に接触させ、紙山の側面と平行な面内で、一の方向へ移動させて紙粉の掃き取り動作を行わせ、他の方向へ移動させて掃き取り範囲を変更することを特徴とする紙粉除去装置。
【請求項２】
紙山の紙粉を除去する紙粉除去位置に、該紙山を載置させる回転可能な架台を設け、
前記架台を適宜角度回転させて、前記掃き取り手段に紙山の側面を順次臨ませて、順番に各側面の紙粉を除去することを特徴とする請求項１に記載の紙粉除去装置。
【請求項３】
平判紙が積層されて形成された紙山の側面に付着した紙粉を除去する紙粉除去装置において、
前記紙山の４面に各別に連繋させて掃き取り手段を設け、
紙山の中央部を押圧する紙山押さえ手段を設け、
前記掃き取り手段のそれぞれの掃き取り範囲の高さを、紙山の高さよりも小さくし、
前記掃き取り手段を、紙山の側面と平行な面内で直交方向へ移動可能とすると共に、紙山の側面に対して進退可能とし、
前記掃き取り手段を前進させて紙山側面に接触させ、紙山の側面と平行な面内で、一の方向へ移動させて紙粉の掃き取り動作を行わせ、他の方向へ移動させて掃き取り範囲を変更することを特徴とする紙粉除去装置。
【請求項４】
前記掃き取り手段は、紙山の側面と直交する方向を軸として回動可能であることを特徴とする請求項１ないし請求項３のいずれかに記載の紙粉除去装置。
【請求項５】
前記掃き取り手段は、円柱の外周面に放射状に多数の刷毛体を植設した円柱状ブラシであり、該円柱状ブラシの軸方向が紙山の側面と平行な平面内にあり、該軸を中心として回動可能としたことを特徴とする請求項１ないし請求項４のいずれかに記載の紙粉除去装置。
【請求項６】
前記掃き取り手段を防塵ハウジングで覆い、
該防塵ハウジングの、紙山の側面を望む位置にノズル部を設け、
前記ノズル部から前記掃き取り手段の側に斜め方向であって、紙山の側面に向けて空気を吹き出させ、
前記防塵ハウジングに連通した吸引手段を設けて、該防塵ハウジング内の紙粉を吸引することを特徴とする請求項１ないし請求項５のいずれかに記載の紙粉除去装置。
【請求項７】
前記ノズル部を、掃き取り手段の掃き取り範囲を変更するための移動方向の両側に設けたことを特徴とする請求項６に記載の紙粉除去装置。
【請求項８】
前記ノズル部を形成する壁面であって、掃き取り手段側に位置した壁面を、該ノズル部から吹き出される空気の吹き出し範囲を含む面と平行な方向を軸方向として、空気の流れ位置側を凸とした曲面で形成したことを特徴とする請求項６または請求項７に記載の紙粉除去装置。
【請求項９】
前記掃き取り手段を紙山の搬送経路の途中に配設し、搬送された紙山の寸法を測定する測定手段を設け、
前記測定手段により測定された寸法に基づいて、前記掃き取り手段を該紙山の紙粉除去のための初期位置に位置させることを特徴とする請求項１ないし請求項８のいずれかに記載の紙粉除去装置。
【発明の詳細な説明】
【技術分野】
【０００１】
この発明は、製紙工場で加工された平判の紙山や印刷工場に入荷された同じく平判の紙山の側面に付着した紙粉を除去する装置に関する。
【背景技術】
【０００２】
製紙工場では、紙の原料であるパルプを抄紙機に供給して紙を製造し、該抄紙機では巻取紙の状態のもので完成される。抄紙機での生産性を向上させるために、抄紙速度を大きくしたり、紙幅を大きくすることが行われ、最近では紙幅が８ｍに及ぶものがある。一方、新聞社や印刷会社、包装資材会社等の需要者では、広幅で大きな径の巻き取りを扱う機械装置を所有していないし、製紙工場としても出荷する際には広幅な巻取紙は扱いにくい。
【０００３】
このため、製紙工場では、マシンリールで巻き取られた巻取紙を需要者の所有する印刷機等の機械能力に合わせて、適当な幅及び径の巻き取りに加工したり、所定の寸法の平判に断裁して出荷している。製紙工場では、抄紙機で製造されてリールスプールに巻き取られた紙を小幅小径の巻き取り又は平判に仕上げるために、スリッターに供して小幅に分割される。平判に仕上げる場合には、小幅に分割された後、さらにロータリーカッターで長手方向の所定の寸法位置で断裁されて、平判に形成される。その後、レイボーイでパレット上に積層されて紙山とされる。
【０００４】
この山積みされた平判紙の側面には、断裁の際に発生する紙粉が付着している。この紙粉は、特にロータリカッターやスリッターの刃物の切れ味が低下した場合や、紙原料に古紙を多く用いた場合等に多く見られる。
【０００５】
他方、紙粉が付着したままの紙を印刷に供すると、紙粉が舞い上がって飛散し、紙の表面に付着するおそれがある。表面に紙粉が付着した紙を平版印刷であるオフセット印刷に供すると、紙粉がブランケット上に堆積して画像を乱すパイリングを引き起こし、印刷物の画線部に白抜けが生じるいわゆるスポットを起こしたりする。凹版印刷であるグラビア印刷においても版面に付着し、版面が汚れてしまって印刷面を汚してしまうおそれがある。このため、断裁されて積層された紙山の側面に付着した紙粉を除去する必要が生じる。
【０００６】
この種の紙粉除去装置として、本件出願人は特許文献１に記載された紙粉除去方法及び紙粉除去装置を提案した。この紙粉除去装置は、平判紙が積層されて形成された紙山の高さよりも適宜に長く、該紙山の側面に接触する掃き取り手段を設け、紙山を上方から圧締する圧締手段を設け、前記掃き取り手段を積層方向と交差する方向に移動可能とし、前記圧締手段で紙山を圧締した状態で、該掃き取り手段によって紙山の側面の紙粉を除去するようにしたものである。
【０００７】
【特許文献１】特開２００２−２９２３４５
【発明の開示】
【発明が解決しようとする課題】
【０００８】
上述した紙粉除去装置では、掃き取り手段としての回動する円柱状ブラシの軸方向長さを、紙山の高さよりも大きくしてあるため、次のような問題が生じるおそれがある。除去すべき紙粉が付着した紙山は、パレットに積載されて紙粉除去装置に供されるが、パレットの寸法は紙山を形成する平判紙の寸法よりも大きいため、紙山の下部ではパレットが紙山の側方へ突出することになる。他方、前記円柱状ブラシは軸長が大きいため上下部の両端軸受け構造となるから、この軸受け部とパレットとが干渉して、紙山下部ではブラシが届かず、ブラシ掛けができない部分が生じてしまうおそれがある。
【０００９】
また、紙粉を除去する際には紙山を圧締手段や紙山押さえ手段で圧締あるいは押圧する必要があるが、この圧締手段に、特許文献１に記載されているような紙押さえロッドを用いた場合に、該紙押さえロッドの端部が紙山の側方に突出してしまうおそれがある。このため、前記紙粉除去装置では、紙山の２面を同時に紙粉の除去処理し、紙山をほぼ90度回動させて残りの２面について紙粉除去処理を行うようにしている。しかも、ブラシと同一の移動装置に紙押さえロッドが取り付けられている構造であるため、４面を同時に行おうとすると紙押さえロッド同士が干渉してしまい、４面を同時に紙粉除去処理を行うことができない。また、紙押さえロッドの幅員が小さいため、紙山の一部のみに加圧することになり、紙の表面を損傷するおそれがある。
【００１０】
また、不良な平判紙が存する場合には、その欠陥箇所に差し紙が差し込まれることがあり、前記ブラシが回動しながら接触した場合には差し紙が破損してしまうおそれがある。このため、例えばセンサによって差し紙を検知し、ブラシの回動を停止させてこの差し紙を通過させたりしている。ブラシが通過する範囲においては紙粉は除去されないことになり、しかもブラシが紙山の高さよりも長尺であるから、差し紙が存する位置では紙山の上下方向にわたって紙粉が除去されない範囲が発生することになる。さらに、差し紙の数が多くなると、場合よっては側面の全体にわたって紙粉が除去されないおそれが生じる。なお、紙山には、後続する包装装置に供する際の利便性のために、出荷に要求される包装枚数ごとに差し紙が差し込まれている。すなわち、包装装置では所定枚数の平判紙を包装紙で包装するため、包装装置に紙山の上部から包装枚数ごとに供給する必要があり、この包装枚数を紙山から分離させやすいように差し紙が差し込まれている。この差し紙が差し込まれる位置は上下方向で同一位置となっており、当該範囲については紙粉の除去は行われない。
【００１１】
また、特許文献１に記載された紙粉除去装置には、掃き取られた紙粉を吸引する吸引手段が具備されているが、この吸引手段は円柱状ブラシを覆う状態に吸引式フードを設けた構造であるため、次のような問題が生じるおそれがある。この吸引式フードを用いた構造では、吸引風速の最大値はフードの近傍に現れ、紙山の側面での風速を所望の大きさとすることが難しい。このため、ブラシによって掃き取られて飛散した紙粉を十分に吸引することができず、紙山に再付着してしまうおそれがある。また、吸引フードと紙山側面との間隙が小さいほど、すなわち、吸引フード内の密閉性が高いほど吸引効果を期待できるが、ブラシの移動時にこの間隙を一定の大きさに維持することは困難である。しかも、間隙を小さくすると紙山に差し込まれた前記差し紙に吸引フードが接触して、該差し紙を破損してしまい、差し紙の位置が不明となって後続する搬送装置に供する際の作業が繁雑となるおそれが生じる。
【００１２】
そこで、この発明は、掃き取り手段であるブラシがパレットと干渉することがなく、紙山下部の紙粉も確実に除去できるようにすると共に、差し紙が差し込まれた部分では、紙粉除去を行えない範囲を最小にする紙粉除去装置を提供することを第１の目的とし、そして、紙山の４面をほぼ同時に紙粉除去処理できる紙粉除去装置を提供することを第２の目的とし、さらに紙山の側面から掃き取られた紙粉を確実に吸引して、再付着することがない紙粉除去装置を提供することも目的としている。
【課題を解決するための手段】
【００１３】
前記第１の目的を達成するための技術的手段として、この発明にかかる紙粉除去装置は、平判紙が積層されて形成された紙山の側面に付着した紙粉を除去する紙粉除去装置において、前記紙山の側面に連繋させて掃き取り手段を設け、紙山を上方から押圧する紙山押さえ手段を設け、前記掃き取り手段の掃き取り範囲の高さを、紙山の高さよりも小さくし、前記掃き取り手段を紙山の前記側面と平行な面内で直交方向へ移動可能とすると共に、紙山の側面に対して進退可能とし、前記掃き取り手段を前進させて紙山側面に接触させ、紙山の側面と平行な面内で、一の方向へ移動させて紙粉の掃き取り動作を行わせ、他の方向へ移動させて掃き取り範囲を変更することを特徴としている。
【００１４】
前記掃き取り手段を前進させて紙山の側面に接触させる。この状態で一の方向へ移動させると、移動した範囲の紙粉が掃き取られる。この掃き取り手段の掃き取り範囲の高さは、紙山の高さよりも小さいから、紙粉が掃き取られた範囲は紙山の側面の一部である。そこで、掃き取り手段を他の方向へ移動させて異なる範囲を掃き取れる位置に位置付かせる。その後、一の方向へ移動させれば、先に掃き取られた範囲と異なる範囲の紙粉を掃き取ることができる。この動作を紙山の側面の全域に渡って行えば、側面の紙粉を除去できる。しかも、一の方向と他の方向とは直交する方向としてあるから、一の方向と他の方向との動作を繰り返すことにより容易に側面全域の紙粉を除去することができる。また、掃き取り手段の掃き取り範囲の高さを紙山の高さよりも小さくしてあるから、パレットが紙山の側方に突出していても、該パレットに干渉することなく側面に確実に接触させることができる。
【００１５】
また、請求項２の発明に係る紙粉除去装置は、紙山の紙粉を除去する紙粉除去位置に、該紙山を載置させる回転可能な架台を設け、前記架台を適宜角度回転させて、前記掃き取り手段に紙山の側面を順次臨ませて、順番に各側面の紙粉を除去することを特徴としている。
【００１６】
紙山を形成する平判紙はほぼ矩形に断裁されているから、紙山は４つの側面を備えており、紙粉の除去は各側面について行う必要がある。このため、紙山を回転可能な架台に載置し、該架台をほぼ９０度ずつ回転させることによって各側面を順番に掃き取り手段に臨ませ、それぞれの側面の紙粉を順次除去するようにしてある。すなわち、１台の掃き取り手段で４つの側面の紙粉を除去することができる。また、掃き取り手段はそれぞれが連繋する側面ごとに動作させられるから、各側面について適宜に紙粉を除去することができる。なお、掃き取り手段を２つにして、紙山の２つの側面のそれぞれに対向させて設けてあれば、紙山を１回９０度に回動させれば、すべての側面について紙粉除去を行うことができる。
【００１７】
また、前記第２の目的を達成するための技術的手段として、請求項３の発明に係る紙粉除去装置は、平判紙が積層されて形成された紙山の側面に付着した紙粉を除去する紙粉除去装置において、前記紙山の４面に各別に連繋させて掃き取り手段を設け、紙山の中央部を押圧する紙山押さえ手段を設け、前記掃き取り手段のそれぞれの掃き取り範囲の高さを、紙山の高さよりも小さくし、前記掃き取り手段を、紙山の側面と平行な面内で直交方向へ移動可能とすると共に、紙山の側面に対して進退可能とし、前記掃き取り手段を前進させて紙山側面に接触させ、紙山の側面と平行な面内で、一の方向へ移動させて紙粉の掃き取り動作を行わせ、他の方向へ移動させて掃き取り範囲を変更することを特徴としている。
【００１８】
前記掃き取り手段を前進させて紙山の側面に接触させる。この状態で一の方向へ移動させると、移動した範囲の紙粉が掃き取られる。この掃き取り手段の掃き取り範囲の高さは、紙山の高さよりも小さいから、紙粉が掃き取られた範囲は紙山の側面の一部である。そこで、掃き取り手段を他の方向へ移動させて異なる範囲を掃き取れる位置に位置付かせる。その後、一の方向へ移動させれば、先に掃き取られた範囲と異なる範囲の紙粉を掃き取ることができる。この動作を紙山の側面の全域に渡って行えば、側面の紙粉を除去できる。しかも、一の方向と他の方向とは直交する方向としてあるから、一の方向と他の方向との動作を繰り返すことにより容易に側面全域の紙粉を除去することができる。また、掃き取り手段の掃き取り範囲の高さを紙山の高さよりも小さくしてあるから、パレットが紙山の側方に突出していても、該パレットに干渉することなく側面に確実に接触させることができる。
【００１９】
しかも、掃き取り手段が紙山の４面のそれぞれに連繋させて設けられているから、ほぼ同時に４つの側面の紙粉を除去することができる。
【００２０】
また、請求項４の発明に係る紙粉除去装置は、前記掃き取り手段は、紙山の側面と直交する方向を軸として回動可能であることを特徴としている。
【００２１】
掃き取り手段の掃き取り範囲の高さを、紙山の高さよりも小さくしてある。そこで、一の範囲の紙粉除去を行った後に、該掃き取り手段を前記軸を中心として回動させると、一の範囲と異なる範囲に掃き取り手段が接触した状態となる。例えば、180度回動させれば、先に紙粉を除去した一の範囲と隣接した他の範囲の紙粉を除去することができる。この回動動作と、前記他の方向への移動とを組み合わせれば、掃き取り手段の最小限の動作で、紙山の側面の紙粉を除去することができる。
【００２２】
また、請求項５の発明に係る紙粉除去装置は、前記掃き取り手段は、円柱の外周面に放射状に多数の刷毛体を植設した円柱状ブラシであり、該円柱状ブラシの軸方向が紙山の側面と平行な平面内にあり、該軸を中心として回動可能としたことを特徴としている。
【００２３】
掃き取り手段としては、紙山の側面に接触した状態で適宜に湾曲するもので有れば好ましく、例えば軟質ゴムやビニール等によって形成した板状の掻き取り板であっても構わないが、多数の刷毛体が植設された円柱状のブラシとすることがより好ましい。この円柱状ブラシの先端を側面に接触させて回動させれば、刷毛体が適宜に湾曲して、側面に付着した紙粉がより効率よく掃き取られる。刷毛体によるブラシであるから、積層された平判紙の隙間に入り込んだ紙粉を掻き出しながら掃き取ることもでき、確実に紙粉を除去できる。
【００２４】
また、掃き取られた紙粉が紙山に再付着することを防止するために、請求項６の発明に係る紙粉除去装置は、前記掃き取り手段を防塵ハウジングで覆い、該防塵ハウジングの、紙山の側面を望む位置にノズル部を設け、前記ノズル部から前記掃き取り手段の側に斜め方向であって、紙山の側面に向けて空気を吹き出させ、前記防塵ハウジングに連通した吸引手段を設けて、該防塵ハウジング内の紙粉を吸引することを特徴としている。
【００２５】
前記ノズル部から吹き出される空気によって、前記掃き取り手段により掃き取られた紙粉が吹き飛ばされて、前記防塵ハウジング内で飛散する。飛散した紙粉は前記吸引手段で吸引されて廃棄される。
【００２６】
また、請求項７の発明に係る紙粉除去装置は、前記ノズル部を、掃き取り手段の掃き取り範囲を変更するための移動方向の両側に設けたことを特徴としている。
【００２７】
掃き取り手段で掃き取られた紙粉は防塵ハウジングの中央部、すなわち掃き取り手段のある側に吹き飛ばされる。したがって、防塵ハウジングの外部へ飛散することが防止される。また、吹き飛ばされた紙粉は中央部に集まるから、前記吸引手段による目標位置を防塵ハウジングの中央部とすることにより紙粉を確実に吸引させられる。
【００２８】
また、請求項８の発明に係る紙粉除去装置は、前記ノズル部を形成する壁面であって、掃き取り手段側に位置した壁面を、該ノズル部から吹き出される空気の吹き出し範囲を含む面と平行な方向を軸方向として、空気の流れ位置側を凸とした曲面で形成したことを特徴としている。
【００２９】
ノズル部から吹き出される空気は、空気の粘性の作用によるいわゆるコアンダ効果によって前記曲面に沿って流れることになる。このため、吹き出された空気は防塵ハウジングの前記掃き取り手段の方向に確実に流れることになる。しかも、この空気流によって、ノズル部と紙山の側面との間隙部は負圧となるから、外部の空気が吸引されることになり、紙山の側面から吹き飛ばされて飛散した紙粉は防塵ハウジングの外部に飛散することが防止される。
【００３０】
また、請求項９の発明に係る紙粉除去装置は、前記掃き取り手段を紙山の搬送経路の途中に配設し、搬送された紙山の寸法を測定する測定手段を設け、前記測定手段により測定された寸法に基づいて、前記掃き取り手段を該紙山の紙粉除去のための初期位置に位置させることを特徴としている。
【００３１】
ここで、初期位置とは掃き取り手段の掃き取り開始位置であり、紙山の一定位置とする。平判紙の大きさや厚さには種々のものがあり、異なる寸法の紙山の紙粉も迅速に除去処理を行う必要がある。そこで、搬送途中で紙粉除去処理のために待機している紙山の寸法を予め測定し、掃き取り手段に供した際には紙粉の除去処理を迅速に開始できるようにする。
【発明の効果】
【００３２】
この発明に係る紙粉除去装置によれば、紙山の積層方向の高さよりも掃き取り範囲が小さい掃き取り手段とすることにより、パレット等の紙山の側方に突出した部分に干渉させることなく紙粉を除去することができる。しかも、掃き取り手段は側面を移動しながら紙粉を除去するから、確実に側面全域の紙粉を除去でき、差し紙が差し込まれた部分では、紙粉除去が行われない範囲を極力小さくできる。
【００３３】
また、請求項２の発明に係る紙粉除去装置によれば、紙山はフォークリフトなどの運搬手段を用いなくても方向を変更できるので、紙山の紙粉除去作業を迅速、かつ円滑に行うことができる。
【００３４】
また、請求項３の発明に係る紙粉除去装置によれば、紙山の４つの側面についてほぼ同時に紙粉除去処理を行えるので、迅速に紙粉を除去することができる。また、それぞれの面に対して順次紙粉除去処理を行う場合に必要となる紙山全体を回動させる装置を必要としないので、設備のコストを低減することができる。また、掃き取り手段の掃き取り範囲の高さを紙山の高さよりも小さくしたため、紙山の側方に突出したパレットに干渉することがなく、紙山の下部でも確実に紙粉を除去することができる。しかも、掃き取り手段は側面を移動しながら紙粉を除去するから、確実に側面全域の紙粉を除去でき、差し紙が差し込まれた部分では、紙粉除去が行われない範囲を極力小さくできる。
【００３５】
また、請求項４の発明に係る紙粉除去装置によれば、一の範囲の掃き取りを行った後、掃き取り手段をほぼ180度回動させて、逆方向へ移動させると、掃き取り手段の支持部材の移動軌跡を軸とした線対称の範囲の紙粉を除去できる。すなわち、掃き取り手段の一直線上の移動で広い範囲を掃き取ることができるから、該掃き取り手段の移動量を少なくすることができる。また、紙山の端部、特にパレットとの境界部分にも確実に接触させることができて、側面全域にわたって確実に紙粉除去を行える。
【００３６】
また、請求項５の発明に係る紙粉除去装置によれば、掃き取り手段の回動によって紙粉を掃き取れるから、紙山の側面をブラシで掻き取るようにして紙粉を除去できる。しかも、側面が適宜な力で叩かれて、より効率よく紙粉の除去処理が行われる。
【００３７】
また、請求項６の発明に係る紙粉除去装置によれば、掃き取り手段で掃き取られ飛散した紙粉を、防塵ハウジングが作業域周辺の雰囲気中にまで飛散させることを防止する。しかも、掻き取られた紙粉は空気によって吹き飛ばされるから、側面に残留する紙粉を極力なくすことができる。さらに、飛散した紙粉は吸引手段で吸引されるので、効率よく捕捉されて、簡単に廃棄することができる。
【００３８】
また、請求項７の発明に係る紙粉除去装置によれば、ノズル部から噴射される空気によって紙粉は防塵ハウジングの内側に吹き飛ばされるから、防塵ハウジングの外部に飛散することが確実に防止される。しかも、ノズル部からは防塵ハウジングの内側に向けて空気が吹き出されるから、該防塵ハウジングと紙山の側面との間隙から外部の空気が防塵ハウジング内に吸い込まれ、紙粉は確実に防塵ハウジング内で飛散し、吸引手段によって確実に吸引される。
【００３９】
また、請求項８の発明に係る紙粉除去装置によれば、ノズル部から吹き出された空気は、局面に沿って確実に掃き取り手段の方向に流れるから、防塵ハウジングの外部に紙粉が飛散することが防止される。
【００４０】
また、請求項９の発明に係る紙粉除去装置によれば、紙粉を除去すべき紙山が掻き取り手段に供される位置まで搬送された際に、該掻き取り手段が迅速に初期位置に位置して、即座に紙粉除去処理を実行できる。このため、紙粉除去処理に要する時間が短縮され、生産性の向上に対応することができる。
【発明を実施するための最良の形態】
【００４１】
以下、図示した好ましい実施の形態に基づいて、この発明に係る紙粉除去装置を具体的に説明する。
【００４２】
図１はこの発明に係る紙粉除去装置１の概略の構造を示す正面図であり、図２は平面図、図３は図１におけるＡ−Ａ矢視図である。この紙粉除去装置１は、図７〜図９に示すように、平判紙が積層され形成された紙山Ｌを搬送するローラコンベア等の搬送装置２による搬送経路の途中に配設されている。
【００４３】
前記搬送装置２の搬送経路を挟んだ位置に適宜本数の支柱10が設けられており、これら支柱10の上端部には搬送経路と平行な方向を長手方向とする上部平行ビーム11が搬送装置２の両側に掛け渡され、下端部には搬送経路と平行な方向に下部平行ビーム12が搬送装置２の両側に掛け渡されている。
【００４４】
前記上部平行ビーム11のそれぞれの搬送経路の上流側端部には直動ガイドレール13が敷設されており、これら直動ガイドレール13のそれぞれには、一対の直動ベアリングユニット14が連繋し、この直動ベアリングユニット14をブラケットを介して取り付けてある下側台車15が前記直動ガイドレール13に載置されて支持されている。この下側台車15が備えた図示しない駆動モータの動力により図示しないピニオンを回動させ、このピニオンと噛合する図示しないラックギヤとのピニオン・ラック機構によって、前記直動ガイドレール13に案内されて移動するようにしてある。この下側台車15は、図１〜図３に示すように、矩形に組み立てられたフレームからなり、該矩形の短辺15a が搬送経路とほぼ平行に配され、前記直動ベアリングユニット14はこの短辺15a に設けられている。この下側台車15の長辺15b は搬送経路を跨いだ状態に配されている。
【００４５】
前記下側台車15のそれぞれの長辺15b の上面には直動ガイドレール16が敷設されており、この直動ガイドレール16には直動ベアリングユニット17が連繋し、この直動ベアリングユニット17をブラケットを介して取り付けてある上側台車18が前記直動ガイドレール16に載置されて支持されている。この上側台車18が備えた図示しない駆動モータの動力により図示しないピニオンを回動させ、このピニオンと噛合する図示しないラックギヤとのピニオン・ラック機構によって、前記直動ガイドレール16に案内されて移動するようにしてある。この上側台車18は、図１〜図３に示すように、前記下側台車15の長辺15b に載置された台車部18a とこれら台車部18a の中央部に掛け渡された梁部18b とにより構成されている。そして、この梁部18b に支持フレーム19が垂下されて設けられており、該支持フレーム19に後述する掃き取り手段を有する掃き取り装置40が取り付けられる。
【００４６】
前記上部平行ビーム11のそれぞれの搬送経路の下流側端部には、図１及び図２に示すように、搬送経路と直交するように一対の直交ビーム21が掛け渡されている。これら直交ビーム21のそれぞれの上面に直動ガイドレール22が敷設されており、これら直動ガイドレール22のそれぞれには一対の直動ベアリングユニット23が連繋し、これら直動ベアリングユニット23をブラケットを介して取り付けてある下流側台車24が前記直動ガイドレール22に載置されて支持されている。この下流側台車24は、前記上側台車18と同様な構造を備えている。すなわち、前記直交ビーム21に載置された台車部24a とこれら台車部24a に掛け渡された梁部24b とにより構成されている。そして、この梁部24b に支持フレーム25が垂下されて設けられており、該支持フレーム25に後述する掃き取り手段を有する掃き取り装置40が取り付けられる。
【００４７】
前記下部平行ビーム12のそれぞれの上面の適宜位置には、図１及び図３に示すように、一対の直動ガイドレール31が敷設されており、前記上部平行ビーム11の下面には直動ガイドレール32が敷設されている。これら直動ガイドレール31と直動ガイドレール32とのそれぞれには、これらと連繋する直動ベアリングユニット33、34を有する支持フレーム35が設けられている。そして、前記支持フレーム35のそれぞれに後述する掃き取り手段を有する掃き取り装置40が取り付けられている。
【００４８】
図４及び図５には、掃き取り装置40を示してあり、図４が正面図、図５が平面図である。なお、図５は、前記支持フレーム35に支持された掃き取り手段40を示してあるが、前記支持フレーム19及び支持フレーム25のそれぞれに支持された掃き取り装置40も同様の構成を備えているので、この支持フレーム35に支持された掃き取り装置40について説明する。
【００４９】
支持フレーム35は鉛直方向を長手方向とした支持支柱35a と前記直動ベアリングユニット33を備えた下支持部材35b と前記直動ベアリングユニット34を備えた上支持部材35c とを矩形に組み合わせて構成されており、その内側の上部にヘッド昇降駆動モータ41が支持されている。このヘッド昇降駆動モータ41の出力軸には、先端部が該支持フレーム35の下部まで伸長され、軸受42a によって支持された昇降用スクリューロッド42が連結させてある。
【００５０】
前記支持フレーム35の支持支柱35a の搬送経路の方向と直交する面には、直動ガイドレール43が敷設されている。この直動ガイドレール43に臨んでヘッド昇降板44が位置しており、このヘッド昇降板44に前記直動ガイドレール43と連繋する直動ベアリングユニット45が具備されている。このヘッド昇降板44には前記昇降用スクリューロッド42と螺合する昇降ナット部46が、該ヘッド昇降板44と一体的に設けられている。
【００５１】
前記ヘッド昇降板44の前記昇降ナット部46が設けられた面と反対側の面には、水平ナット部51が該ヘッド昇降板44と一体的に設けられている。この水平ナット部51には、水平方向を長手方向とした横行用スクリューロッド52が螺合させてある。この横行用スクリューロッド52の両端部は軸受53によって回動可能に支持されており、これら軸受53は横行用支持部材54に固定されている。該横行用支持部材54の後端部には、ヘッド横行駆動モータ55が取り付けられ、このヘッド横行駆動モータ55の出力軸を前記横行用スクリューロッド52に連結させてある。
【００５２】
前記横行用支持部材54の先端部にはヘッド支持軸61が、該横行用支持部材54の長手方向と同方向を軸として回動可能に支持されている。該ヘッド支持軸61の中央部には、従動側プーリ62が嵌着されている。他方、横行用支持部材54の先端部にはヘッド旋回駆動モータ63が取り付けられており、該ヘッド旋回駆動モータ63の出力軸に駆動側プーリ64が嵌着されている。前記従動側プーリ62と駆動側プーリ64とに、駆動ベルト65が掛け渡されている。
【００５３】
前記ヘッド支持軸61の先端部には、旋回用支持部材66が取り付けられている。この旋回用支持部材66の側面には直動ガイドレール67が敷設され、この直動ガイドレール67と連繋する直動ベアリングユニット68を備えた進退用支持部材69が、該旋回用支持部材66に対して前記ヘッド支持軸61の長手方向と同方向に摺動可能に設けられている。図５に示すように、前記旋回用支持部材66の側面にはヘッド加圧用シリンダ70が取り付けられており、そのピストンロッドを前記進退用支持部材69に連繋させてある。このため、該ピストンロッドの摺動によって進退用支持部材69が旋回用支持部材66に対して進退することになる。
【００５４】
前記進退用支持部材69の側面には掃き取り手段である円柱状ブラシ71を回動させるためのブラシ回動駆動モータ72が取り付けられており、該ブラシ回動駆動用モータ72の出力軸に駆動側プーリ74が嵌着されている。他方、進退用支持部材69の先端部にはブラシ支持軸73が回動自在に支持されており、このブラシ支持軸73の一端部に従動側プーリ75が嵌着されている。そして、これら駆動側プーリ74と従動側プーリ75とに駆動ベルト76が掛け渡されている。ブラシ支持軸73の他端部は進退用支持部材69を貫通し、この他端部に前記円柱状ブラシ71が取り付けられている。この円柱状ブラシ71は刷毛体が放射状に植設されたもので、刷毛体は適宜な可撓性を備えたものとしてある。また、その軸方向の長さ、すなわち高さは紙山Ｌの高さよりも小さくしてあり、本実施形態では、処理できる最大紙山Ｌの高さの１／５以下の大きさとしてある。なお、実装した紙粉除去装置では、処理できる紙山Ｌの高さが800mm〜1700mmであり、したがって、前記円柱状ブラシ71の軸方向の長さは、340mm以下としてある。
【００５５】
図４に示すように、前記円柱状ブラシ71は防塵ハウジング80によって覆われており、この防塵ハウジング80は、前記旋回用支持部材66に取り付けられている。そして、この防塵ハウジング80の一部が開放され、開放された部分に円柱状ブラシ71の一部が露呈しており、この露呈した部分が紙山Ｌの側面に接触するようにしてある。また、円柱状ブラシ71が紙山Ｌの側面に接触して、その回動によって紙粉を掃き取る状態では、防塵ハウジング80の開放端部と紙山Ｌの側面との間隙が後述する作用を果たすのに適宜な大きさとなるようにしてある。
【００５６】
図６は前記防塵ハウジング80の概略構造を示す横方向断面図であり、円柱状ブラシ71と紙山Ｌとを併記してある。防塵ハウジング80は、中央部に円柱状ブラシ71を位置させてほぼ対称な断面形状に形成されている。円柱状ブラシ71は、ほぼ矩形の筐体状をして紙山Ｌに対向した面が開放された収容部81に位置させてあり、該開放された部分に円柱状ブラシ71の一部を露呈させてある。この開放された端部の外側部に円筒状のノズルガイド82a が配設され、該ノズルガイド82a の外側部にガイド板83を臨ませて位置させてある。このガイド板83とノズルガイド82a の外側面との間に間隙が形成され、この間隙でノズル部82が形成されている。ガイド板83とノズルガイド82a の背部には加圧室84が設けられており、該加圧室84の背部には給気管85が収容されたチャンバー室86が設けられている。これら加圧室84とチャンバー室86との間の壁部87には通気孔87a が形成されている。給気管85には図示しないホースを介して給気ファンに接続されており、ノズルヘッダ圧が０.６kPa程度の低圧空気が前記ノズル部82から吹き出されるようにしてある。
【００５７】
なお、前記ノズルガイド82a は円筒状のものに限らず、十分なコアンダ効果を奏することができれば、前記ノズル部82から吹き出される空気の吹き出し範囲を含む面と平行な方向を軸方向として、空気の流れ位置側を凸とした曲面で形成したものであって構わない。
【００５８】
前記ガイド板83は、図６に示すように、紙山Ｌの側面に対して斜方向に配設されており、ノズル部82からは、紙山Ｌの側面に斜方向で防塵ハウジング80の内側に向かって空気が吹き出されるようにしてある。
【００５９】
前記収容部81の背面壁には排気管87が設けられ、図示しないホースを介して吸引装置に接続されており、収容部81内の空気が吸引されるようにしてある。
【００６０】
以上は支持フレーム35に関する掃き取り装置40について説明したが、前述したように、支持フレーム19と支持フレーム25に関する掃き取り装置40も同様の構造を備えている。すなわち、支持支柱35a に相当する部材が、支持フレーム19では支持支柱19a が相当し、支持フレーム25では支持支柱25a が相当している。
【００６１】
また、図１及び図２に示すように、前記上部平行ビーム11の中央部には、一対の梁ビーム90が掛け渡されている。この梁ビーム90の中央部には、図１に示すように、加圧板フレーム91が昇降可能に設けられている。また、この加圧板フレーム91には加圧シリンダー92が取り付けられており、該加圧シリンダー92のピストンロッドの先端部に加圧板93が支持されている。なお、紙粉の除去に供される紙山Ｌはこの加圧板93の直下に位置することになる。
【００６２】
また、図７及び図８に示すように、前記搬送装置２には、紙粉除去装置１に供される紙山Ｌの位置決めのためのメインストッパー95が搬送域内に出没自在に設けられている。さらに、紙粉除去装置１に供されるために待機している紙山Ｌのうちの先頭にある紙山Ｌの停止位置を位置決めするサブストッパー96が、搬送域内に出没自在に設けられている。
【００６３】
そして、前記サブストッパー96で位置決めされた紙山Ｌの各面を臨む位置には、図７及び図８に示すように、側面センサ3a、3b、3c、3dと上面センサ3eが設けられている。側面センサ3b、3dはそれぞれ揺動自在のアーム4b、4dの先端に取り付けられており、該アーム4b、4dの揺動によって紙山Ｌの搬送域に対して進退自在としてある。これら側面センサ3a、3b、3c、3dは紙山Ｌの側面までの距離を測定し、前記上面センサ3eは紙山Ｌの上面までの距離を測定する。また、前記サブストッパー96で位置決めされた紙山Ｌが載置されているパレットＰの高さを測定するパレット高さセンサ６が設けられている。さらに、前記メインストッパー95で位置決めされた紙山Ｌの上面を臨む位置には上面センサ５が設けられており、紙粉除去装置１に供される紙山Ｌの上面までの距離が測定される。
【００６４】
以上により構成されたこの発明の実施形態に係る紙粉除去装置１の作用を、以下に説明する。
【００６５】
カッター装置で平判状に断裁され、レイボーイによってパレット上に積層される際に、出荷に要求される包装枚数ごとに差し紙が差し込まれる。また、損紙等の不良紙が存する場合には該損紙位置にも差し紙が差し込まれる。平判紙が積層された紙山Ｌは、図７及び図８に示すように、搬送装置２によって包装枚数ごとに包装紙で包装するための包装装置まで搬送される。この搬送途中で紙粉除去装置１を通過し、紙粉の除去処理に供される。紙山Ｌの搬送動作中には、前記掃き取り装置40と側面センサ3b、3dは搬送経路から退避した位置にあって紙山Ｌの移動の障害とならないようにしてある。
【００６６】
紙山Ｌが前記メインストッパー95またはサブストッパー96のいずれかに当接すると、搬送装置２の一部であって当接したストッパーが備えられた搬送部についての搬送動作が停止する。このとき、当接していないストッパーが備えられた搬送部については搬送動作が継続される。すなわち、ストッパー95、96が設けられている搬送部はそれぞれ各別に駆動されるようになっている。なお、必要に応じて他の部分についても同様で、搬送装置２は複数のセクションに分けられ、各セクション毎に駆動されるようにしてある。メインストッパー95により停止した紙山Ｌは紙粉除去装置１に供されて紙粉除去が開始され、サブストッパー96により停止した紙山Ｌは側面センサ3a、3b、3c、3dや上面センサ3eにより各距離が測定される。なお、メインストッパー95により停止させられて紙粉除去装置１に供される紙山Ｌについては、待機時に各距離の測定が完了している。
【００６７】
紙山Ｌが前記サブストッパー96によって停止させられると、アーム4b、4dが揺動して、その先端部に取り付けられた側面センサ3b、3dを紙山Ｌの側面に対向させて位置させる。また、紙山Ｌのこの停止位置では、前記側面センサ3a、3cと上面センサ3eは紙山Ｌに対向した状態となる。そして、それぞれのセンサ3a〜3eによって紙山Ｌの対向した面までの距離を測定すれば、サブストッパー96の位置が一定であるから、紙山Ｌの搬送方向の長さと幅、高さが計測されることになり、この寸法のデータが紙粉除去装置１の図示しない制御部に送られて、記憶される。
【００６８】
メインストッパー95により停止された紙山Ｌについては、その前段階で前記サブストッパー96により停止されて、予め各寸法が測定されているから、この寸法データに基づいて、掃き取り装置40が動作して掃き取り手段である円柱状ブラシ71をそれぞれ所定の位置に位置付かせる。いま、図２に示すように、掃き取り手段40について、それぞれ添字を付して40a 〜40d で示す。掃き取り手段40のそれぞれは、円柱状ブラシ71がそれぞれが対向する紙山Ｌの面の左上隅に臨んだ位置が所定の位置であり、この位置を初期位置とする。なお、円柱状ブラシ71についても、掃き取り手段40a 、40b 、40c 、40d に対応させて、添字を付して、71a 〜71d で示す。
【００６９】
紙山Ｌがメインストッパー95に当接して停止されたことが、該メインストッパー95により検出されると、退避位置にあった掃き取り装置40が駆動されて、それぞれの円柱状ブラシ71を初期位置に位置付かせる。
【００７０】
紙山Ｌの搬送方向後方側の背面の紙粉を掃き取る掃き取り装置40a は、図示しない駆動モータが作動して、前記下側台車15を、上側台車18を移動させても掃き取り手段40a が紙山Ｌに当接しない位置まで上部平行ビーム11上を移動させる。すなわち、駆動モータの作動により図示しないピニオンが回動し、図示しないラックギヤとの噛合によって下側台車15が図示しないピニオンの回動方向に応じた方向に移動する。次いで、図示しない駆動モータを作動させて図示しないピニオンを回動させると、図示しないラックギヤとの噛合によって上側台車18が下側台車15に対して移動し、該上側台車18に連繋した支持支柱19a に取り付けられた掃き取り装置40a が紙山Ｌの搬送方向と直交する方向に移動するので、初期位置を臨むことができる位置に円柱状ブラシ71a を位置させる。そして、前記ヘッド昇降駆動モータ41を駆動させて、昇降用スクリューロッド42を回動させる。この昇降用スクリューロッド42には昇降ナット部46が螺合しているから、この昇降ナット部46が取り付けられたヘッド昇降板44が昇降用スクリューロッド42の回動方向に応じて昇降する。ヘッド昇降板44のこの昇降によって掃き取り装置40の円柱状ブラシ71a を初期位置に臨む位置に位置付かせる。そして、前記ヘッド横行用駆動モータ55を作動させて、前記横行用スクリューロッド52を回動させる。横行用スクリューロッド52は前記ヘッド昇降板44に取り付けられた水平ナット部51と螺合しているから、該横行用スクリューロッド52が軸受53を介して取り付けられている横行用支持部材54が、横行用スクリューロッド52の回動方向に応じて進退する。これにより、横行用支持部材54を前進させて、掃き取り装置40a を前進させ、円柱状ブラシ71a を紙山Ｌの背面に当接させる。そして、前記ヘッド加圧用シリンダ70を作動させると、そのピストンロッドの進退方向に応じて進退用支持部材69が進退するから、該進退用支持部材69を前進させる。これにより、該進退用支持部材69の先端部に取り付けられた円柱状ブラシ71a が紙山Ｌの背面に押圧される。
【００７１】
紙山Ｌの搬送方向を挟んだ位置に配された掃き取り装置40b 、40d は、図示しない駆動モータが作動すると、図示しないピニオンが回動して、このピニオンと下部平行ビーム12に敷設された図示しないラックギヤとの噛合によって、支持フレーム35が紙山Ｌの搬送方向に移動する。この支持フレーム35の移動により掃き取り装置40b 、40d がそれぞれ紙山Ｌの側面に対して初期位置に位置することができる位置まで移動される。その後、前記掃き取り装置40a の場合と同様に、ヘッド昇降板44を移動させ、横行用支持部材54を前進させた後、ヘッド加圧シリンダ70を作動させて円柱状ブラシ71b 、71d を紙山Ｌの側面に押圧させる。
【００７２】
紙山Ｌの搬送方向前方側の前面の紙粉を除去する掃き取り装置40c は、図示しない駆動モータが作動すると、図示しないピニオンが回動して、このピニオンと直交ビーム21に敷設された図示しないラックギヤとの噛合によって、下流側台車24が紙山Ｌの搬送方向と直交する方向に移動する。これにより、この下流側台車24に連繋した支持フレーム25も移動し、該支持フレーム25に連繋させた掃き取り装置40c を紙山Ｌの前面に対してし初期位置に位置することができる位置まで移動させる。その後、前記掃き取り装置40a の場合と同様に、ヘッド昇降板44を移動させ、横行用支持部材54を前進させた後、ヘッド加圧シリンダ70を作動させて円柱状ブラシ71c を紙山Ｌの前面に押圧させる。
【００７３】
図10(ａ)は、掃き取り装置40a 、40b 、40c 、40d のそれぞれの円柱状ブラシ71a 、71b 、71c 、71d が初期位置に位置した状態を示している。この状態で、前記ブラシ回動駆動モータ72を回動させると円柱状ブラシ71が回動し、該円柱状ブラシ71の刷毛体が適宜に撓みながら回動するから、紙山Ｌの側面の紙粉が掻き取られながら掃かれることになる。
【００７４】
前記上側台車18を下側台車15に対して移動させれば、掃き取り装置40a は紙山の搬送方向と直交する方向に移動するから、その円柱状ブラシ71a は図10(ａ)に示す位置から同図において下方向へ移動する。このとき、円柱状ブラシ71a が回動しながら移動するから、紙山Ｌの背面の紙粉が掃き取られる。
【００７５】
また、前記掃き取り装置40b は、図示しない駆動モータを作動させて支持フレーム35を搬送方向の前方に向けて移動されば、同方向に移動し、円柱状ブラシ71b により紙山Ｌの側面の紙粉が掃き取られる。このとき、円柱状ブラシ71b は図10(ａ)に示す位置から同図において右方向へ移動する。また、前記掃き取り装置40d は、図示しない駆動モータを作動させて支持フレーム35を搬送方向の後方に向けて移動させれば、同方向に移動し、円柱状ブラシ71d により紙山Ｌの側面の紙粉が掃き取られる。このとき、円柱状ブラシ71d は図10(ａ)に示す位置から同図において左方向へ移動する。
【００７６】
また、前記掃き取り装置40c は、図示しない駆動モータを作動させて下流側台車24を搬送方向と直交する方向に移動させれば、支持フレーム25を介して同方向に移動し、円柱状ブラシ71c により紙山Ｌの正面の紙粉が掃き取られる。このとき、円柱状ブラシ71c は図10(ａ)に示す位置から同図において上方向へ移動する。
【００７７】
前記円柱ブラシ71のそれぞれが初期位置とは反対側の端部にまで移動したならば、前記ヘッド旋回駆動モータ63を作動させ、ヘッド支持軸61を回動させて、円柱状ブラシ71をほぼ180度旋回させる。この状態が図10(ｂ)に示してあり、同図に示すように、円柱状ブラシ71を旋回させることにより、先に掃き取られた範囲と異なる範囲に円柱状ブラシ71が位置付くことになる。なお、このとき、先に掃き取りを行った範囲と重複しないように、必要に応じて、円柱状ブラシ71の高さを調整する。この高さの調整は、前記ヘッド昇降板44を昇降させることにより行うことができる。そして、掃き取り装置40a 、40b 、40c 、40d のそれぞれを先の移動方向とは逆方向へ移動させれば、図10(ｂ)の斜線で示す範囲の紙粉が掃き取られることになる。
【００７８】
次いで、図10(ｃ)に示すように、ヘッド昇降板44を下降させて、先の範囲に対して下段の範囲の紙粉を除去できる位置に円柱状ブラシ71を位置させて、それまでとは逆方向へ移動させれば、異なる範囲の紙粉を除去できる。このように、ヘッド昇降板44を順次下降させて円柱状ブラシ71を下降させた後、掃き取り装置40を水平方向に移動させる動作を繰り返せば、紙山Ｌの側面に付着した紙粉の除去処理を行うことができる。なお、図10(ｆ)に示すように、紙山Ｌの最下部の紙粉を除去する場合には、前記パレット高さセンサ６の検出データに基づいて、円柱状ブラシ71がパレットＰに干渉しない位置に調整して行えば、紙山Ｌの最下部についても紙粉の除去処理を確実に行うことができる。
【００７９】
この円柱状ブラシ71の移動の際に差し紙が検出されると、該差し紙を破損しないようにするため、回動を停止し、前記エアシリンダ70により進退用支持部材69を後退させ、円柱状ブラシ71を紙山Ｌの側面から離隔させて、当該部分の紙粉の除去を行わない。しかし、この円柱状ブラシ71の軸方向の長さ、すなわち高さは紙山Ｌの高さよりも小さくしてあるから、紙粉が除去されない範囲は最小限の大きさとなる。
【００８０】
前記円柱状ブラシ71が回動して紙粉を掃き取る際には、前記給気管85から低圧空気を供給すると共に、前記排気管88から防塵ハウジング80内の空気を吸引させる。給気管85から供給された低圧空気は、前記ノズル部82から吹き出される。このとき、空気は前記ノズルガイド82a とガイド板83とに案内されて紙山Ｌの側面に対して斜方向であって、円柱状ブラシ71の側に向かって吹き出される。このため、吹き出し空気は紙山Ｌの側面に衝突して紙粉を飛散させることになる。また、ノズル部82から吹き出された空気は、該空気の粘性により円筒状のノズルガイド82a に案内され該ノズルガイド82a から剥離せずに円筒面に沿って流れる、いわゆるコアンダ効果を奏する。このため、ノズル部82a から吹き出された空気は効率よく防塵ハウジング80の内部側に流れることになる。しかも、ノズル部82a から吹き出された空気の流れによって、ノズル部82と紙山Ｌの側面との間隙周辺は負圧となるから、該間隙から外部の空気が吸引される。このため、吹き飛ばされた紙粉は収容部81内で飛散することになるだけで、防塵ハウジング80の外部に飛散することがない。
【００８１】
また、防塵ハウジング80の収容部81は排気管88を介して吸引されているから、この収容部81に飛散した紙粉は吸引されて排出されることになる。
【００８２】
紙山Ｌの側面について紙粉除去処理が終了したならば、前記掃き取り装置40と側面センサ3a、3b、3c、3dを紙山Ｌの搬送域から退避させ、搬送装置２を作動させて、次に紙粉除去装置１の手前で停止している紙山Ｌを紙粉除去装置１まで移動させる。そして、この紙山Ｌについて紙粉除去処理を行う。
【００８３】
上述した実施形態では、紙山Ｌの４つの側面に対してほぼ同時に紙粉を除去できるように、掃き取り手段である円柱状ブラシ71をそれぞれの側面に連繋させて配設した構成を示してあるが、円柱状ブラシ71は単一または、反対方向を向いた２面に連繋させて一対で配設したものであっても構わない。なお、２面に連繋させて配設する場合には、搬送装置２を挟んだ位置に対向させて配置することが好ましい。
【００８４】
単一または一対の円柱状ブラシ71を具備させた場合には、４つの面についてほぼ同時に紙粉除去を行うことができないので、側面のそれぞれに対して順番に紙粉除去を行うことになり、紙山Ｌを回転させてそれぞれの側面を順次円柱状ブラシ71に対向させて位置させる必要がある。このためには、例えば、図11示すように、搬送装置２の搬送経路の途中にターンテーブル100 を設ける。円柱状ブラシ71はこのターンテーブル100 を挟んだ位置に配設する。紙山Ｌをこのターンテーブル100 に載置させた状態で円柱状ブラシ71に対向した側面について紙粉除去処理を行った後、ターンテーブル100 を９０度回動させて、紙粉が未除去の側面を円柱状ブラシ71に対向させる。そして、これらの面の紙粉除去処理を行うことになる。
【産業上の利用可能性】
【００８５】
この発明は、平判紙が積層された紙山の側面に付着した紙粉を除去するために用いられるもので、紙粉の未除去範囲を極力小さくすることができると共に、紙粉除去処理に要する時間を短縮することができ、紙の生産性を向上させた場合にも追随することができる。
【図面の簡単な説明】
【００８６】
【図１】この発明に係る紙粉除去装置の概略構造を示す正面図である。
【図２】図１に示す紙粉除去装置の平面図である。
【図３】図１におけるＡ−Ａ矢視図である。
【図４】掃き取り装置の概略構造を示す図で、図３に示したものを代表して示している。
【図５】図４に示す掃き取り装置の平面図である。
【図６】防塵ハウジングを示す横方向断面図で、掃き取り手段と紙山を併記してある。
【図７】紙粉除去装置と紙山を該紙粉除去装置に搬送する搬送装置との関係を説明する、全体の正面図である。
【図８】図７に示す紙粉除去装置と搬送装置との平面図である。
【図９】図７に相当する正面図で、紙山に対する紙粉除去処理が開始する状態を示している。
【図１０】この発明に係る紙粉除去装置により紙粉を除去する処理手順を説明する図である。
【図１１】紙山を鉛直方向を軸として回転させるために設置されたターンテーブルを示す概略図である。
【符号の説明】
【００８７】
Ｌ  紙山
Ｐ  パレット
１  紙粉除去装置
２  搬送装置
3a、3b、3c、3d  側面センサ
3e  上面センサ
５  上面センサ
６  パレット高さセンサ
10  支柱
11  上部平行ビーム
12  下部平行ビーム
15  下側台車
18  上側台車
18a  台車部
18b  梁部
19  支持フレーム
21  直交ビーム
24  下流側台車
24a  台車部
24b  梁部
25  支持フレーム
35  支持フレーム
35a  支持支柱
35b  下支持部材
35c  上支持部材
40  掃き取り装置
41  ヘッド昇降駆動モータ
42  昇降用スクリューロッド
44  ヘッド昇降板
52  横行用スクリューロッド
54  横行用支持部材
55  ヘッド横行駆動モータ
61  ヘッド支持軸
63  ヘッド旋回駆動モータ
66  旋回用支持部材
69  進退用支持部材
70  ヘッド加圧用シリンダ
71  円柱状ブラシ（掃き取り手段）
72  ブラシ回動駆動モータ
80  防塵ハウジング
81  収容部
82  ノズル部
82a  ノズルガイド
83  ガイド板
85  給気管
88  排気管
91  加圧板フレーム
92  加圧シリンダー
93  加圧板
95  メインストッパー
96  サブストッパー
100  ターンテーブル
【図１】
2006007090.tif 000003
【図２】
2006007090.tif 000004
【図３】
2006007090.tif 000005
【図４】
2006007090.tif 000006
【図５】
2006007090.tif 000007
【図６】
2006007090.tif 000008
【図７】
2006007090.tif 000009
【図８】
2006007090.tif 000010
【図９】
2006007090.tif 000011
【図１０】
2006007090.tif 000012
【図１１】
2006007090.tif 000013
【手続補正書】
【提出日】平成16年6月29日(2004.6.29)
【手続補正１】
【補正対象書類名】図面
【補正対象項目名】図７
【補正方法】変更
【補正の内容】
【図７】
2006007090.tif 000014
【手続補正２】
【補正対象書類名】図面
【補正対象項目名】図１０
【補正方法】変更
【補正の内容】
【図１０】
2006007090.tif 000015